(57)【要約】【課題】 任意サイズと任意位置での拡大とトリミングを簡便に行うことができ、かつ操作者による安定保持を可能とする画像表示装置を提供する。【解決手段】 電子スチルカメラ１１は、操作者の右手の親指にて＋ボタン３０，−釦３１を操作させ、左手の親指にてセンタークリック付き十字キー３５を操作させることにより再生画像の任意サイズと任意位置での拡大を可能とし、また、その際にシャッター釦ＳＢを右手人差し指にて押させることにより拡大された画像を別画像としてメモリーカードに取り込む（トリミング機能）ことができるようにしている。これにより、操作者には簡便にかつＳＥＴの保持を安定して行える操作性と釦配置を提供することができる。【選択図】  図４
2005237039.tif 000002
【特許請求の範囲】
【請求項１】
操作者による指示に応じて被写体の撮像による画像情報を記録媒体に記録するとともに、操作者による指示に応じて当該記録媒体に記録された画像情報を再生する画像記録再生装置において、
画像情報の上記記録媒体に対する記録再生を行う記録再生手段と、
画像情報を一時的に記録する記憶手段と、
再生された画像情報を表示する表示手段と、
上記表示手段に表示された画像情報の任意の範囲を指定する位置指定手段と、
上記位置指定手段により指定された範囲の上記画像情報に対する拡大表示を指示する拡大操作手段と、
画像情報を解像度変換する解像度変換手段と、
上記位置指定手段および上記拡大操作手段による操作に応じて、上記記録再生手段、上記記憶手段、上記表示手段、および上記解像度変換手段を制御する制御手段とを備え、
上記制御手段は、操作者による指示に応じて上記記録媒体から画像情報を再生して上記記憶手段に記憶し、上記記憶手段に記憶された上記画像情報を上記表示手段に表示し、当該画像情報のうち上記位置指定手段により指定された範囲の画像情報を上記解像度変換手段に入力して上記拡大操作手段による指示に応じた解像度変換により拡大画像情報を生成し、当該拡大画像情報を上記記憶手段に記憶し、上記記憶手段に記憶された上記拡大画像情報を上記表示手段に表示し、操作者による指示に応じて当該拡大画像情報を上記記録媒体に上記画像情報とは別画像として取り込むトリミング機能を実行すること
を特徴とする画像記録再生装置。
【請求項２】
上記両手の内の一方の手により装置本体が保持される携帯型であることを特徴とする請求項１記載の画像記録再生装置。
【請求項３】
上記両手の内の他方の手により上記画像拡大表示から通常表示へのモードの切り換え操作が行われるモード切り換え操作手段を備えることを特徴とする請求項１記載の画像記録再生装置。
【請求項４】
上記２次元コントロール操作手段は少なくとも上下左右方向を指示する十字キーであり、この十字キーの近傍に上記モード切り換え操作手段を設けることを特徴とする請求項３記載の画像記録再生装置。
【請求項５】
操作者による指示に応じて被写体の撮像による画像情報を記録媒体に記録するとともに、操作者による指示に応じて当該記録媒体に記録された画像情報を再生する画像記録再生方法において、
操作者による指示に応じて上記記録媒体から画像情報を再生して記憶手段に一時的に記憶し、上記記憶手段に記憶された上記画像情報を表示手段に表示し、当該画像情報のうち位置指定手段により指定された任意の範囲の画像情報を解像度変換手段に入力して拡大操作手段による指示に応じた解像度変換により拡大画像情報を生成し、当該拡大画像情報を上記記憶手段に記憶し、上記記憶手段に記憶された上記拡大画像情報を上記表示手段に表示し、操作者による指示に応じて当該拡大画像情報を上記記録媒体に上記画像情報とは別画像として取り込むトリミング機能を実行すること
を特徴とする画像記録再生方法。
【発明の詳細な説明】
【技術分野】
【０００１】
本発明は、被写体を撮像して得た撮像信号を記録媒体に記録し、かつ操作者の操作に応じ再生して表示部に表示する画像記録再生装置であり、特に、トリミング機構を有する画像記録再生装置及び画像記録再生方法に関する。
【背景技術】
【０００２】
デジタルスチルカメラ等の電子スチルカメラにより作成されたデジタル画像は、画像データに解像度変換処理を施すことにより元画像の一部分を拡大表示することが可能である。
【発明の開示】
【発明が解決しようとする課題】
【０００３】
ところで、従来、拡大操作を行う場合、画像の中心部のみの拡大しか出来ないとか、全体のエリアを９とか１６分割し、その中の一つを選択して表示するものが一般的であった。また、最近では、上下左右を指示する十字キーを使って二次元上のエリアを指定して拡大範囲を決定し、さらにその十字キーを使って拡大処理を行わせる操作も考えられるが、操作者は十字キーのみを使って上記二つの操作を行わなければならず、複雑な操作を行うことになり、特に携帯型の機器においては安定した保持、操作が困難となった。
【０００４】
本発明は、上記実情に鑑みてなされたものであり、任意サイズと任意位置での拡大とトリミングを簡便に行うことができ、かつ操作者による安定保持を可能とする画像記録再生装置及び画像記録再生方法の提供を目的とする。
【課題を解決するための手段】
【０００５】
本発明に係る画像記録再生装置は、上記課題を解決するために、操作者による指示に応じて被写体の撮像による画像情報を記録媒体に記録するとともに、操作者による指示に応じて当該記録媒体に記録された画像情報を再生する画像記録再生装置において、画像情報の上記記録媒体に対する記録再生を行う記録再生手段と、画像情報を一時的に記録する記憶手段と、再生された画像情報を表示する表示手段と、上記表示手段に表示された画像情報の任意の範囲を指定する位置指定手段と、上記位置指定手段により指定された範囲の上記画像情報に対する拡大表示を指示する拡大操作手段と、画像情報を解像度変換する解像度変換手段と、上記位置指定手段および上記拡大操作手段による操作に応じて、上記記録再生手段、上記記憶手段、上記表示手段、および上記解像度変換手段を制御する制御手段とを備え、上記制御手段は、操作者による指示に応じて上記記録媒体から画像情報を再生して上記記憶手段に記憶し、上記記憶手段に記憶された上記画像情報を上記表示手段に表示し、当該画像情報のうち上記位置指定手段により指定された範囲の画像情報を上記解像度変換手段に入力して上記拡大操作手段による指示に応じた解像度変換により拡大画像情報を生成し、当該拡大画像情報を上記記憶手段に記憶し、上記記憶手段に記憶された上記拡大画像情報を上記表示手段に表示し、操作者による指示に応じて当該拡大画像情報を上記記録媒体に上記画像情報とは別画像として取り込むトリミング機能を実行する。
【０００６】
本発明に係る画像記録再生方法は、上記課題を解決するために、操作者による指示に応じて被写体の撮像による画像情報を記録媒体に記録するとともに、操作者による指示に応じて当該記録媒体に記録された画像情報を再生する画像記録再生方法において、操作者による指示に応じて上記記録媒体から画像情報を再生して記憶手段に一時的に記憶し、上記記憶手段に記憶された上記画像情報を表示手段に表示し、当該画像情報のうち位置指定手段により指定された任意の範囲の画像情報を解像度変換手段に入力して拡大操作手段による指示に応じた解像度変換により拡大画像情報を生成し、当該拡大画像情報を上記記憶手段に記憶し、上記記憶手段に記憶された上記拡大画像情報を上記表示手段に表示し、操作者による指示に応じて当該拡大画像情報を上記記録媒体に上記画像情報とは別画像として取り込むトリミング機能を実行する。
【発明の効果】
【０００７】
本発明に係る画像記録再生装置及び画像記録再生方法によれば、任意サイズの任意位置での拡大とトリミングが簡便に行うことができる。
【発明を実施するための最良の形態】
【０００８】
以下、本発明に係る画像記録再生装置及び画像記録再生方法の実施の形態について図面を参照しながら説明する。
【０００９】
この実施の形態は、上記画像表示装置に撮像機能を付加し、操作者がシャッターボタンを押すことにより被写体を撮像して得た撮像信号を記録媒体に記録し、かつ操作者の操作に応じ再生して表示部に表示する画像記録再生装置として動作する電子スチルカメラである。
【００１０】
この電子スチルカメラの外観を図１〜図４に示す。図１は電子スチルカメラ１１の正面側からの斜視図であり、図２は正面図である。図３は背面側からの斜視図であり、図４は背面図である。
【００１１】
電子スチルカメラ１１は、カメラ本体１２の上部に撮影部１３を前後方向に回転可能に取り付けて構成されている。カメラ本体１２には、記録再生部が内蔵されると共に、記録媒体である上記メモリーカード６が出し入れ可能に収納され、背面側のほぼ中央部に表示部３が配設されている。また、撮影部１３にはレンズユニット１５とストロボユニット１６が横方向に所要間隔をおいて配置されている。
【００１２】
このように構成される電子スチルカメラ１１のカメラ本体１２は、外筐２１が前面パネル２２と後面パネル２３とを合体して形成される。この外筐２１の上部には上記撮影部１３を回転可能に取り付ける、凹部２１ａが形成されている。
【００１３】
また、カメラ本体１２の外筐２１には、メモリーカード６を装填するための挿入開口２５が底面部２１ｂ側の一方の角部に位置して形成されており、この挿入開口２５を開閉する蓋開閉装置４０が備えられている。
【００１４】
通常カメラを保持をする場合、操作者は右手にてグリップを固定して左手を添える形で保持するのが一般的であり、本電子スチルカメラ１１も同様の方法での保持が望ましい。
【００１５】
その場合、右手は親指を上下に動かすか人差し指をづらしてシャッタ釦ＳＢを押すしかできない。左手は親指を自由に動かすぐらいが、安定して保持できる状態である。
【００１６】
そこで、電子スチルカメラ１１は、操作者の右手の親指にて図３及び図４に示す＋ボタン３０，−釦３１を操作させ、左手の親指にてセンタークリック付き十字キー３５を操作させることにより再生画像の任意サイズと任意位置での拡大を可能とし、また、その際にシャッター釦ＳＢを右手人差し指にて押させることにより拡大された画像を別画像としてメモリーカードに取り込む（トリミング機能）ことができるようにしている。これにより、操作者には簡便にかつＳＥＴの保持を安定して行える操作性と釦配置を提供することができる。
【００１７】
すなわち、電子スチルカメラ１１は、操作者の右手に表示部３内の任意の範囲における画像拡大表示のためのアップ（＋）及びダウン（−）操作を行わせる＋釦３０，−釦３１と、操作者の左手に上記任意の範囲の２次元方向の位置指定を行わせる十字キー３５とを備えている。
【００１８】
ここで、十字キー３５は、上下左右方向を指示する操作片と、十字の中心位置にクリック釦を備えている。このクリック釦には上記画像拡大表示から通常表示へのモードの切り換え操作を行わせる。
【００１９】
この電子スチルカメラ１１の背面側には、電源オン／オフスイッチ３２と、フラッシュ釦３３と、マクロ釦３４と、表示部のオン／オフ釦３６も備えられている。これらの各スイッチ、釦についての詳細な説明は省略する。
【００２０】
図５には電子スチルカメラ１１の主要な内部構成をブロック図として示す。電子スチルカメラ１１のシャッターボタンＳＢが操作者により押されてＣＣＤ１で撮像された画像情報はメモリーカード６に記録される共に、このメモリーカード６から任意に取り出され、表示部３に表示される。
【００２１】
また、一方で図１のＣＣＤ１で撮像された画像は、画像処理回路２により処理されてから、表示部３に表示される。ここで表示部３とは、例えば内蔵の液晶パネルやＥＶＦ、あるいは外部に接続したテレビモニタ等である。
【００２２】
以下、図５に内部構成を示した電子スチルカメラ１１の全体的な動作について説明する。
【００２３】
撮影者がシャッターボタンＳＢを押すと、ＣＣＤ１で撮影された画像は、画像処理回路２を通してＤＲＡＭ４に一旦記録される。ＤＲＡＭ４に記録された画像は、画像処理回路２により圧縮処理を施され、再びＤＲＡＭ４に書き戻される。ＤＲＡＭ４に書き戻された圧縮画像データは、メモリーカードコントローラー５を経てメモリーカード６に記録される。
【００２４】
メモリーカード６に記録された画像を再生する場合は、メモリーカードコントローラー５を経てメモリーカード６より圧縮画像データを読み込み、ＤＲＡＭ４に記録する。その圧縮画像データを画像処理回路２で伸張処理し、ＤＲＡＭ４に書き戻す。ＤＲＡＭ４に書き戻された画像データは、画像処理回路２で処理された後、表示部３に表示される。
【００２５】
以上の各ブロック間の画像データの移動は、制御マイコン（マイクロコンピュータ）７によって制御される。
【００２６】
制御マイコン７は、上記画像を拡大表示する場合に、通常の再生表示の場合と同じように、ＤＲＡＭ４には伸張された画像データを記録する。
【００２７】
制御マイコン７は、ＤＲＡＭ４に記録されている原画像の一部分を解像度変換装置８に入力する。入力される領域は制御マイコン７が拡大率に応じて決定する。解像度変換装置８は入力された画像を表示部３で表示するのに必要な大きさの画像に解像度変換し、ＤＲＡＭ４に書き戻す。書き戻された拡大画像は、画像処理回路２で処理された後、表示部３に表示される。
【００２８】
電子スチルカメラ１１における、通常再生モードと拡大再生モードの切り換え操作は上述したように十字キー３５のクリック釦を押すことにより可能である。このクリック釦の押下を始め、十字キー３５，＋釦３０，−釦３１の押下は制御マイコン７が判断し、通常再生モードから拡大再生モードへの移行や、拡大率のアップ、ダウンを判断する。
【００２９】
以下、通常再生モードから拡大再生モードへの遷移，拡大率のアップダウン処理等について図６のフローチャート及び図７の表示例を用いて説明する。
【００３０】
ステップＳ１に示した通常再生モードから拡大再生モードに入るにはステップＳ２で＋釦３０が押されたときである。
【００３１】
制御マイコン７は、ＤＲＡＭ４に記録されている原画像の一部分を解像度変換装置８に入力し、解像度変換装置８は入力された画像を表示部３上の任意の範囲に表示するのに必要な大きさの画像に解像度変換し、ＤＲＡＭ４に書き戻す。書き戻された拡大画像は、画像処理回路２で処理された後、表示部３に表示される。
【００３２】
具体的には、ＤＲＡＭ４のワークエリアに通常モードで示された画像データを貼り付け、その中心部を一定サイズに切り出し拡大表示させる。この状態で＋釦３０又は−釦３１にて切り出しサイズの変更を、十字キー３５の上下左右釦にて切り出し位置の変更を行い、表示する。
【００３３】
すなわち、ステップＳ３で拡大再生モードになった後、ステップＳ４で＋釦３０が押下されると拡大率がステップＳ５で最大となるまでステップＳ６で拡大率を上げて拡大再生を行う。図７の表示例では正方向に拡大率を上げ、表示５１，５２，５３と変化させていく様子を示す。
【００３４】
そして、ステップＳ５で拡大率が最大であったと判断したとき、あるいはステップＳ６で拡大率の上限となったときには拡大再生モードに入ったばかりの状態に戻る。
【００３５】
ステップＳ４で＋釦３０が押されたのではなく、ステップＳ７で−釦３１が押されたと判断したとき、制御マイコン７はステップＳ８で拡大率をダウンする。図７の表示例では負方向に拡大率を上げ、表示５３，５２，５１と変化させていく。
【００３６】
ステップＳ８での拡大率ダウンの結果、ステップＳ９で拡大率が１倍になってしまったときには拡大再生モードを抜けて通常再生モードに切り換わる。すなわち、表示５０に戻る。
【００３７】
また、ステップＳ７で−釦３１が押されたのではなく、ステップＳ１０で十字キー３５中のセンタークリック釦が押されたと判断したときにも、制御マイコン７は拡大再生モードを抜けて通常再生モードに切り換わり、表示５０に戻る。
【００３８】
また、ステップＳ１０で上記センタークリック釦が押されたのではなく、ステップＳ１１でシャッターボタンＳＢが押されたと判断したとき、制御マイコン７はステップＳ１２に進んで上記トリミング機能を実行し、その後、拡大再生モードを抜けて通常再生モード（表示５０）に切り換わる。
【００３９】
つまり、制御マイコン７は、ステップＳ１１でシャッターボタンＳＢが押されたと判断すると、ＤＲＡＭ４のワークエリアの画像データを切り出したサイズにてメモリーカード６に別画像として記録する。通常画像再生モードに戻るとき、ＤＲＡＭ４のワークエリアの画像データは消去される。
【００４０】
次に、拡大再生モードにおける、任意の範囲の二次元方向への位置指定と、トリミング機能との関係について図８のフローチャートと図９の表示例を用いて説明する。
【００４１】
図９の（ａ）に示すように表示部３中の任意の表示範囲３７は、十字キー３５の上操作キー３５ａ，下操作キー３５ｃ，右操作キー３５ｄ及び右操作キー３５ｂの押下に合わせて上方向Ｕ，下方向Ｄ，左方向Ｌ及び右方向Ｒに移行する。表示範囲３７の大きさの変更は＋釦３０及び−釦３１により行われる。
【００４２】
図８においてステップＳ２１で拡大再生中、ステップＳ２２で上操作キー３５ａが押されると、制御マイコン７はステップ２３で表示範囲３７を上方向Ｕに移動する。ステップＳ２４で下操作キー３５ｃが押されると、ステップＳ２５で表示範囲３７を下方向Ｄに移動する。ステップＳ２６で右操作キー３５ｄが押されると、ステップＳ２７で表示範囲３７を右方向に、ステップＳ２８で左操作キー３５ｂが押されると、ステップＳ２９で表示範囲３７を左方向Ｒに移動する。
【００４３】
そして、ステップＳ３０でシャッターボタンＳＢが押されると、制御マイコン７はステップＳ３１で上記トリミング機能を実行し、その後ステップＳ３２で通常再生モードに切り換わる。
【００４４】
このように電子スチルカメラ１１は、任意サイズと任意位置での拡大とトリミングを簡便に行うことができ、かつ操作者による安定保持を可能とする。
【００４５】
なお、電子スチルカメラ１１の上記十字キー３５は、上記表示範囲の決定のみに使われるのではなく、他の用途に使われるようにしてもよい。
【００４６】
例えば、再生モードが開始されるときに表示部３上に表れるメニュー項目部を選択するためのメニュー選択操作手段としても使われる。
【００４７】
以下に、図１０及び図１１を用いて十字キー３５を用いてのメニュー項目選択機能を説明する。
【００４８】
電子スチルカメラ１１の基本モードが再生（ＰＬＡＹ）モードであるとき、制御マイコン７は画像処理回路２を制御して図１０の（２）に示すように表示部３の下部に「インデックス」「削除」「ファイル」「設定」からなるメニュー項目部を表示させる。
【００４９】
図１０の（２）では一番右の「設定」が選択されている。この状態から十字キー３５の下操作キー３５ｃが押下されると、制御マイコン７は図１０の（１）に示すように表示部３からメニュー項目部を消す。この図１０の（１）に示す状態から十字キー３５の上操作キー３５ａが押下されると図１０の（２）に戻る。すなわち、十字キー３５の上操作キー３５ａと下操作キー３５ｃはメニュー項目の右側端部の「設定」が選択されているときにはメニュー項目部表示のオン／オフに用いられる。
【００５０】
十字キー３５の右操作キー３５ｂと左操作キー３５ｄは、図１０の（２）に示すメニュー項目部にあってメニュー項目を選択するのに使われる。図１０の（２）では「設定」が選択されているが、この状態から左操作キー３５ｄが押下されることにより図１０の（３）に示すように右隣の「ファイル」が選択される。選択されている箇所は色が変わる。このように十字キー３５の右操作キー３５ｂと左操作キー３５ｄはメニュー項目の選択に使われる。
【００５１】
図１０の（３）に示す「ファイル」が選択されている状態で十字キー３５の上操作キー３５ａが押下されると、制御マイコン７は図１０の（４）に示すように、「ファイル」に関するサブメニュー項目部を表示させる。この図１０の（４）ではサブメニュー項目部の内の最下端の「回転」が選択されている。「回転」が選択されている状態から下操作キー３５ｃが押下されると制御マイコン７はサブメニュー項目部の表示を消す。このようにメニュー項目部の最右端を除く項目が選択されている状態で上操作キー３５ａが押下されるとその項目についてのサブメニュー項目部が表示され、サブメニュー項目部の最下端の項目が選択されている状態で下操作キー３５ｃが押下されるとサブメニュー項目部が消される。
【００５２】
サブメニュー項目部における上部への項目の移行は上操作キー３５ａの押下に応じて行われる。すなわち、図１０の（４）でサブメニュー項目の「回転」が選択されている状態から上操作キー３５ａが押下されると一つ上の「プロテクト」が選択され、図１０の（５）に示すようになる。この「プロテクト」が選択されている状態から下操作キー３５ｃが押下されると、「回転」の選択に戻る。図１０の（５）では「プロテクト」の現在の選択内容「切」も選択される。
【００５３】
図１０の（５）と同様の表示例を図１１の（５）に示す。この図１１の（５）の状態から、十字キー３５のセンタークリック釦３５ｅが押下されると、図１１１１の（６）に示すように、サブメニュー項目部内の設定の現在の状態を表示する。図１１の（６）の例では「プロテクト」の「入」又は「切」の内、現在「切」が選択されていることを示している。このサブメニュー項目部内の設定の現在の状態は、上操作キー３５ａ又は下操作キー３５ｂを押下することにより、図１１の（７）又は再度図１１の（６）に示す状態に移行できる。そして、センタークリック釦３５ｅの押下により上記選択を確定する。
【００５４】
また、センタークリック釦３５ｅの押下により上記サブメニュー項目部内の設定の現在の状態が確定された後、再度センタークリック釦３５ｅが押下されると、図１１の（５）の状態、すなわち図１０の（５）の状態に戻る。
【００５５】
図１２には、図１０の（２）に示すように、メニュー設定項目部（メニューバー）が表示されていない状態から、表示するまでの制御マイコン７の処理の流れを示す。すなわち、ステップＳ４１からステップＳ４４まで、左操作キー３５ｄ、右操作キー３５ｂ、下操作キー３５ｃ、センタークリック釦３５ｅが押下されずに、ステップＳ４５で上操作キー３５ａが押下されたときに始めてメニュー設定項目部を表示する。
【００５６】
図１３にはメニュー設定項目部（メニューバー）上で項目の選択を移動するときの制御マイコン７の処理の流れを示す。
【００５７】
ステップＳ５１で左操作キー３５ｄが押下されたのであればステップＳ５２で左に行ける位置があるかぎりステップＳ５３ではカーソルを左に送る。すなわち、メニュー項目の色を変える等の処理を行う。
【００５８】
また、ステップＳ５４で右操作キー３５ｂが押下されたのであればステップＳ５５で右に行ける位置があるかぎりステップＳ５６ではカーソルを右に送る。
【００５９】
また、ステップＳ５７で上操作キー３５ａが押下されたのであればステップＳ５８で上に行ける位置があるかぎりステップＳ５９ではカーソルを上に送る。すなわち、サブメニュー項目部が表示される場合において上操作キー３５ａが押下された場合の処理を説明している。
【００６０】
また、ステップＳ６０でセンタークリック釦３５ｅが押下されたときにステップＳ６１でサブメニュー項目部が閉じ、かつメニュー項目部のメニュー項目釦上にカーソルがあればサブメニュー項目部を開く。また、ステップＳ６０でセンタークリック釦３５ｅが押下されたときにステップＳ６４でサブメニュー項目部が開き、かつメニュー項目釦上にカーソルがあればサブメニュー項目部を閉じる。
【００６１】
また、ステップＳ６３で下操作キー３５ｃが押下されステップＳ６６で下に行ける位置にあればステップＳ６７でカーソルを下に移動する。
【００６２】
このように十字キー３５は表示部３上に再生開始時に表れたメニュー項目部とサブメニュー項目部の選択，確定等の操作にも使用できる。
【図面の簡単な説明】
【００６３】
【図１】本発明の実施の形態となる電子スチルカメラの正面側からの斜視図である。
【図２】上記電子スチルカメラの正面図である。
【図３】上記電子スチルカメラの背面側からの斜視図である。
【図４】上記電子スチルカメラの背面図である。
【図５】上記電子スチルカメラの主要な内部構成を示すブロック図である。
【図６】上記電子スチルカメラにおける通常再生モードから拡大再生モードへの遷移，拡大率のアップダウン処理等を説明するためのフローチャートである。
【図７】上記図７のフローチャートを用いての説明を補助するための表示例を示す図である。
【図８】上記電子スチルカメラの拡大再生モードにおける、任意の範囲の二次元方向への位置指定と、トリミング機能との関係を説明するためのフローチャートである。
【図９】上記図８のフローチャートを用いての説明を補助するための表示例を示す図である。
【図１０】上記電子スチルカメラのメニュー項目選択機能を説明するための第１の状態遷移図である。
【図１１】上記電子スチルカメラのメニュー項目選択機能を説明するための第２の状態遷移図である。
【図１２】上記電子スチルカメラで行われる、メニュー設定項目部（メニューバー）が表示されていない状態から、表示するまでの処理の流れを説明するためのフローチャートである。
【図１３】上記電子スチルカメラで行われる、メニュー設定項目部（メニューバー）上で項目の選択を移動するときの処理の流れを説明するためのフローチャートである。
【符号の説明】
【００６４】
３ 表示部、６ メモリーカード、７ 制御マイコン、１１ 電子スチルカメラ、１３ 撮像部３０ ＋釦、３１ −釦、３５ 十字キー
【図１】
2005237039.tif 000003
【図２】
2005237039.tif 000004
【図３】
2005237039.tif 000005
【図４】
2005237039.tif 000006
【図５】
2005237039.tif 000007
【図６】
2005237039.tif 000008
【図７】
2005237039.tif 000009
【図８】
2005237039.tif 000010
【図９】
2005237039.tif 000011
【図１０】
2005237039.tif 000012
【図１１】
2005237039.tif 000013
【図１２】
2005237039.tif 000014
【図１３】
2005237039.tif 000015